(57)【要約】【課題】一時に多量の水を供給しなくてもサイフォン流を作れるサイフォン式水洗便器を提供すること。【解決手段】水洗便器内の水封トラップに連通する排水管の断面を遮断する遮蔽体を自在に回動させ、管路内の水がサイフォン現象が起きる水量に達すると開き、ボウル面内の水を一時に吸引排水し、作動後は再び閉じて次回の放水に備える構造を持つサイフォン式水洗便器を提案する。【選択図】  図３
2004251085.tif 000002
【特許請求の範囲】
【請求項１】
便器ボウル面内に存在する汚物を洗浄水供給手段により給水された洗浄水で排出する際、ボウル面と排水管の途中にあるトラップ部にたまる水をサイフォン現象をおこさせ排水するようにした水洗便器に於て、トラップ部に連通する排水管の途中に該排水管の断面を遮蔽する円板状の遮蔽体を設け該遮蔽体円板部の外縁に円板と水平に交わる軸を設け該軸の円板と対象をなす延長面に重錘を固着し、該軸を支点として揺動し、排水管断面を開閉自在に遮蔽し、排水管内に満水する水の重量で開き、重量負荷がなくなると重錘側に付勢された保持手段により再び遮蔽体上の管路が満水になるまで遮蔽体を保持する機能を持つサイフォン式水洗大便器
【発明の詳細な説明】
【０００１】
【発明の属する技術分野】
本発明はサイフォン式、又はサイフォンゼット式排水方式をとる水洗便器に関するものである．
【０００２】
【従来の技術】
図１は従来のサイフォン式水洗便器の一般的な縦断面図である。便器ボウル面内に設けられた防臭のためトラップ状の溜水部分から逆Ｕ字型に形成された配管部を経て排水管に連通している。この便器は洗浄水を供給する水道に直結したフラッシュバルブ、又は洗浄に必要な水量の洗浄水を予め貯留したタンクに接続され、便器内に一気に給水させた水で逆Ｕ字型の水路にサイフォン現象を起させ、ボウル内に溜つている汚物、汚水を排水する構造になつてる。逆Ｕ字部分下流の管路も大便や紙を流すために極端に細くすることも出来ず、一時に多量の水を流してサイフォン現象をおこさせる必要があつた。ｊｉＳ規格も１３リットルの水を６〜９秒で流すような水量が規定されている。短い時間に多量の水を流すのはトラップ部下流側に連通する水の柱を作りトラップ部の汚水を吸引しなけらばならからである。従ってサイフォン式便器に連なる水タンクは１０リットル以上の水量が必要であると共に直径３０ミリ位の太い配管で一時にどっと流さなければならない。水道配管に直結する場合も水源から３０ミリ位の太い配管をして一時に多量の水を流す必要があつた。
【０００３】
【発明が解決しようとする課題】
過去にも少い水量でサイフォン現象を起こさせるために様々な工夫がされてきた。排水管路に強圧のシャワー散水を行い管路内を負圧にしてサイフォン作用を誘引したり、便器洗浄と同時にトラップ流出口に別途給水して排水管にサイフォン作用を発生させる工夫されている。トラップ流出側排水管に抵抗体をつけたり、絞り部を作つたりする工夫もされているが汚物、紙類が通過するため或る程度以上の小口径には出来ず、決定的な効果は得られなかつた。近年、この欠点を補い節水便器としての提案がなされ、特開平１−２８７３３０号公報に記載されているように、給水と連動して配水管路の一部を便器洗浄給水と同時に閉塞させてサイフォン現象を起こさせる発明もある。（図２）これは給水と連動する電動操作が必要になりコストアップになる。本発明の目的は給水や排水管路の閉塞を電気によらず、又一般家庭に配管されている。１３ミリの管に接続した給水バルブを操作して排水管内にサイフォン作用を発生させ、少い水量で汚物・汚水を排出する水洗便器を得ることにある。
【０００４】
【課題を解決するための手段】
前記トラップ部に連通する排水管の途中に該排水管の断面を遮蔽する円板状の遮蔽体を設け該遮蔽体円板部の外縁に円板と水平に交わる軸を設け該軸の円板と対象をなす延長面に重錘を固着し、該軸を支点として揺動し、排水管断面を開閉自在に遮蔽し、排水管内に満水する水の重さで開き、重量負荷が無くなると重錘側に付勢された保持手段により再び遮蔽体上の管路が満水になるまで遮蔽体を保持する構造を特徴とする。
【０００５】
本発明による遮蔽体作動部は便器内の排水管内に組み込まれても良いし、トイレ床面に遮蔽体を内蔵する部品を取りつけ便器排水管の末端をその部品に水密に取りつけても良い。
【０００６】
【作用】
用便後、洗浄水を流すと、ボウル面を洗いながら流れる水はトラップの上縁面を超え排水管に流入する。排水管の下端に遮蔽体があり洗浄水の流下を遮る。遮蔽体のバランスが排水管のほぼ満水状態の水量で開くように設定されているので丁度サイフォン現象を起こすところで開き、ボウル面内に溜つた汚物と水を一気に流す。その後流水が全く停止すると遮蔽体は重錘又は磁石の付勢により旧に復し流水を遮断する。その際少々の水が余分に流れてボウル内に入っても遮蔽体上流側の管がわに穿設した小孔より水は流出するので、余剰水により不測のサイフォン現象が再発することが防げる。
【０００７】
【発明実施の形態】
図３〜図７は本発明の遮蔽体部分の実施の一形態を示している。実施例の一つの形である遮蔽体が別体で床に取りつけられた態様のものである。接続部材１は遮蔽機構部２と床取付部３からなり、上位の遮蔽機構部２と下位の床取付部３は上下一体に成形してある。
【０００８】
遮蔽機構部２はケース４内に於ける便通過口部５の直上に、後で説明する便器１３の排水管部下端１４が密着状に嵌合可能な弾性部材製接口部６を形成すると共に便通過口部５の下方に枢軸７を支点として揺動して便通過口部５を開閉自在で且つ枢軸７を境に形成してある一方の遮蔽面８ａが便通過口部５を閉じた状態で他方のバランス錘部８ｂで付勢されている遮蔽体８を設けている。この遮蔽体の形成する８はわずかに水を溜める皿状でも良く、又平板状でも良い。
【０００９】
ケース４は、遮蔽体８が開閉作動可能な内部空間９を有するケース本体４ａと内部空間９に達する便通過口部５を垂設している上ケース４ｂが着脱可能に嵌着されており、開口部４ｃの当接フランジ４ｄ上ケース４ｂの当接フランジ４ｅの間にはパッキン４ｆが配設されて防水されている。開口部４ｃ上縁の左右凹部４ｇには上ケース４ｂの左右凸部４ｈが嵌合しており、この凹部４ｇ凸部４ｈとの間に形成された軸受部４ｉには遮蔽体８の枢軸７が枢着されている。重錘部８ｂは所定の重量の重錘をつけるが、上ケース４ｂの８ｂに当接する部分に磁石設置空間４ｋを設けておりここに永久磁石を設置して遮蔽体８にかかる水柱の重量のバランスをとることが出来る。  又上ケース４ｂの下面開口部の側面に小孔１２を複数個設ける。ケース本体４ａの下端接続口部１０は床下側の排水管１５の上の管内面に密着状に挿入可能に形成している。
【００１０】
上ケース４ｂは上側へ突出状の環状突起部４ｊに上接続口部６を着脱可能に取りつけている。この上接続口６はゴムパッキン等の弾性部材製のもので、環状突起部４ｊに取り付けられる環状取付部６ａ内周縁から内側斜め下方に伸びる口部６ｂ内面口は上下平行状の環状鍔部６ｃが共に密着することで確実な防水効果が得られるようにしてある。
【００１１】
次に便器を説明すると、この実施例では給水部は家庭用の１３ミリの配管で便器に接続している。接続口１６の上流側に一定量（５〜６リットル）を吐出するフラッシュバルブまたは電磁弁を接続し、それぞれの作動で給水するようにしている。吐出口１７は便器上縁面に近い便器後部に設け、ボウル面を旋回しながら洗浄水が流れるようになっている。
【００１２】
【発明の効果】
Ａ  トラップ下流側の排水管が遮蔽体により遮断され、サイフォン現象を起こす水が早く溜り、且つ一時に遮蔽体が開くためボウル面内の水が一気に排水され汚物の搬送性能が良く６リットル程度の水で流せる。
Ｂ  有効なサイフォン効果が得られるのでボウル面の水位を高くすることが出来る。
Ｃ  不使用時には遮蔽体上流の水は抜けているので不測のサイフォン吸引が起きることがない。
Ｄ  遮蔽体を内蔵するケースを先に床に取りつけ排出管に接続した上で陶器便器を取り付けるので設置が楽である．
【図面の簡単な説明】
【図１】一般的なサイフォン式水洗便器の縦断面図
【図２】改良されたサイフォン式水洗便器の縦断面図
【図３】本発明のサイフォン式水洗便器の実施の形態を示している縦断面図
【図４】部分拡大縦断面図
【図５】〃
【図６】分解して示す縦断面図
【符号の説明】
１  接続部材
２  遮蔽機構部
３  床取付部
４  ケース
４ａ  ケース本体
４ｂ  上ケース
４ｃ  開口部
４ｄ、４ｅ  当接フランジ
４ｆ  パッキング
４ｇ  左右凹部
４ｈ  左右凸部
４ｉ  軸受部
４ｊ  環状突部
４ｋ  磁石空間
５  便通過口部
６  上接続口部
６ａ  環状取付部
６ｂ  口部
６ｃ  環状鍔部
７  枢軸
８  遮蔽体
８ａ  遮蔽面
８ｂ  バランス錘部
９  内部空間
１０  下接続口部
１１  排出管差込部
１２  水抜穴
１３  便器
１４  排水口
１５  排出管
１６  水道接続口
１７  吐水ノズル
【図１】
2004251085.tif 000003
【図２】
2004251085.tif 000004
【図３】
2004251085.tif 000005
【図４】
2004251085.tif 000006
【図５】
2004251085.tif 000007
【図６】
2004251085.tif 000008